(57)【要約】【課題】  画像を拡大／縮小して出力する場合の印刷可能範囲を容易に知ることができると共に、容易に原稿の載置が行える画像形成装置を提供する。【解決手段】  画像形成装置において、コンタクトガラス２の略全面に重ねられ、コンタクトガラス上の領域を透光状態又は遮光状態に切り替える液晶部３と、記録紙サイズ設定部１１１と、印刷倍率を決定する倍率設定部１１２と、コンタクトガラス２上の原稿載置位置をユーザが指定するための印刷可能領域位置移動指示部１１３と、コンタクトガラス上の印刷可能領域を、記録紙のサイズ、印刷倍率及び載置位置から求める印刷可能領域算出部１６２と、液晶部３を制御する液晶表示制御部１６３と、原稿読取部１２と、画像拡大縮小部１６４と、印刷部１４とを備え、液晶表示制御部１６３は液晶部３の印刷可能領域内全域を透光状態にし、印刷可能領域外の少なくとも一部を遮光状態にすることで印刷可能領域を表示する。【選択図】  図２
2005244755.tif 000002
【特許請求の範囲】
【請求項１】
コンタクトガラスの略全面に重ねられ、コンタクトガラス上の領域を透光状態又は遮光状態に切り替える液晶シャッター手段と、
記録紙のサイズを決定するサイズ決定手段と、
前記記録紙に印刷する画像の、前記原稿の画像に対する印刷倍率を決定する倍率決定手段と、
前記コンタクトガラス上の、前記原稿を載置する載置位置をユーザが指定するための位置指定手段と、
前記記録紙に印刷可能な、前記コンタクトガラス上の印刷可能領域を、前記記録紙のサイズ、前記印刷倍率及び前記載置位置から求める領域算出手段と、
前記液晶シャッター手段を制御する液晶制御手段と、
前記原稿から画像を読み取る読取手段と、
前記印刷倍率に従い画像の拡大又は縮小を行う拡大縮小手段と、
前記印刷可能領域内の前記原稿の拡大又は縮小された画像を出力する出力手段とを備え、
前記液晶制御手段は、前記液晶シャッター手段の前記印刷可能領域内全域を透光状態にし、前記液晶シャッター手段の前記印刷可能領域外の少なくとも一部の領域を遮光状態にすることで、前記印刷可能領域を表示することを特徴とする画像形成装置。
【請求項２】
前記液晶制御手段は、前記液晶シャッター手段の前記印刷可能領域外全域を遮光状態にすることで、前記印刷可能領域を表示することを特徴とする請求項１に記載の画像形成装置。
【請求項３】
前記液晶制御手段は、前記液晶シャッター手段の前記印刷可能領域外であって前記印刷可能領域の外枠部分の領域を遮光状態にすることで、前記印刷可能領域を表示することを特徴とする請求項１に記載の画像形成装置。
【請求項４】
前記画像形成装置内部に発光手段を備え、前記発光手段は前記コンタクトガラスを介して前記画像形成装置外部に向けて光を照射することを特徴とする請求項１〜３のいずれかに記載の画像形成装置。
【発明の詳細な説明】
【技術分野】
【０００１】
本発明は、原稿の画像を読み取って拡大又は縮小して出力することが可能な画像形成装置に関する。
【背景技術】
【０００２】
従来、複写機、ファクシミリ装置又はこれらの機能等を併せ持つ複合機等の画像形成装置は、ユーザが倍率を指定することにより読取画像を拡大又は縮小して出力（印刷又は送信）する。特にコンタクトガラスに載置された原稿を読み取る画像形成装置には、任意の倍率と記録紙サイズを指定して画像を読み取るものがある。
【０００３】
また、下記特許文献１には、原稿画像を拡大／縮小して複写する場合に、コンタクトガラス上でのオペレ−タの原稿位置決めを簡単にすることを目的として、 コンタクトガラスの周辺とキャリッジ上に、目盛り板、表示ランプ群、又は可動標識を設置するか、もしくは、コンタクトガラスに液晶表示器を設け、有効画像読取領域の輪郭の枠を表示する複写範囲表示装置が記載されている。
【特許文献１】特開１９９４−１９４７５１号公報
【発明の開示】
【発明が解決しようとする課題】
【０００４】
しかしながら、上記前者の従来技術においては、特に任意の倍率を設定して拡大／縮小して出力する場合に、コンタクトガラス上におけるどの範囲までが記録紙に印刷されるかを事前に知ることは困難で、トライアンドエラーで印刷可能範囲（領域）を見極めるため無駄な印刷を行ってしまうことが多い。上記後者の従来技術（特許文献１）においては、コンタクトガラスの一辺、又は一角を原稿載置の標準位置として決める必要があり、この場合、原稿の目的位置を印刷可能範囲に位置させるためには、カバーが邪魔になったり、原稿がコンタクトガラスからはみ出す等、不都合が生じ得る。
【０００５】
本発明は、上記の問題に鑑みて成されたもので、画像を拡大／縮小して出力する場合の印刷可能範囲を容易に知ることができると共に、容易に原稿の載置が行える画像形成装置を提供することを目的とする。
【課題を解決するための手段】
【０００６】
請求項１に係る画像形成装置は、コンタクトガラスの略全面に重ねられ、コンタクトガラス上の領域を透光状態又は遮光状態に切り替える液晶シャッター手段と、記録紙のサイズを決定するサイズ決定手段と、前記記録紙に印刷する画像の、前記原稿の画像に対する印刷倍率を決定する倍率決定手段と、前記コンタクトガラス上の、前記原稿を載置する載置位置をユーザが指定するための位置指定手段と、前記記録紙に印刷可能な、前記コンタクトガラス上の印刷可能領域を、前記記録紙のサイズ、前記印刷倍率及び前記載置位置から求める領域算出手段と、前記液晶シャッター手段を制御する液晶制御手段と、前記原稿から画像を読み取る読取手段と、前記印刷倍率に従い画像の拡大又は縮小を行う拡大縮小手段と、前記印刷可能領域内の前記原稿の拡大又は縮小された画像を出力する出力手段とを備え、前記液晶制御手段は、前記液晶シャッター手段の前記印刷可能領域内全域を透光状態にし、前記液晶シャッター手段の前記印刷可能領域外の少なくとも一部の領域を遮光状態にすることで、前記印刷可能領域を表示することを特徴とする。
【０００７】
請求項２に係る画像形成装置は、請求項１に記載の画像形成装置であって、前記液晶制御手段は、前記液晶シャッター手段の前記印刷可能領域外全域を遮光状態にすることで、前記印刷可能領域を表示することを特徴とする。
【０００８】
請求項３に係る画像形成装置は、請求項１に記載の画像形成装置であって、前記液晶制御手段は、前記液晶シャッター手段の前記印刷可能領域外であって前記印刷可能領域の外枠部分の領域を遮光状態にすることで、前記印刷可能領域を表示することを特徴とする。
【０００９】
請求項４に係る画像形成装置は、請求項１〜３のいずれかに記載の画像形成装置であって、前記画像形成装置内部に発光手段を備え、前記発光手段は前記コンタクトガラスを介して前記画像形成装置外部に向けて光を照射することを特徴とする。
【発明の効果】
【００１０】
請求項１に記載の発明によれば、コンタクトガラスの略全面に液晶シャッター手段が重ねられて備えられた画像形成装置において、記録紙のサイズがサイズ決定手段により決定され、記録紙に印刷する画像の、原稿画像に対する印刷倍率が倍率決定手段により決定され、コンタクトガラス上の、原稿を載置する載置位置が、ユーザが位置指定手段を使用することにより指定され、記録紙に印刷可能な、コンタクトガラス上の印刷可能領域が、領域算出手段により記録紙サイズと印刷倍率と載置位置から求められ、印刷可能領域が液晶シャッター手段を使って液晶制御手段により表示される。このとき、液晶制御手段は液晶シャッター手段の印刷可能領域内全域が透光状態になるようにし、液晶シャッター手段の印刷可能領域外の少なくとも一部の領域が遮光状態になるようにすることにより印刷可能領域を表示する。一方、原稿から画像が読取手段により読み取られ、画像の拡大又は縮小が拡大縮小手段により印刷倍率に従って行われ、印刷可能領域内の原稿の拡大又は縮小された画像が出力手段により出力される。
【００１１】
これにより、画像形成装置において、画像を拡大／縮小して出力する場合のコンタクトガラス上における印刷可能な領域をユーザが容易に認識できると共に、原稿を載置しやすい位置に印刷可能領域を位置付けることができ、容易に原稿の載置が行える画像形成装置を提供することができる。
【００１２】
請求項２に記載の発明によれば、液晶制御手段が、液晶シャッター手段の印刷可能領域外全域を遮光状態にすることにより、印刷可能領域が表示されるので、画像を拡大／縮小して出力する場合のコンタクトガラス上における印刷可能な領域をユーザが容易に認識できる。
【００１３】
請求項３に記載の発明によれば、液晶制御手段が、液晶シャッター手段の印刷可能領域外であって印刷可能領域の外枠部分を遮光状態にすることにより、印刷可能領域が表示されるので、画像を拡大／縮小して出力する場合のコンタクトガラス上における印刷可能な領域をユーザが容易に認識できる。
【００１４】
請求項４に記載の発明によれば、画像形成装置内部に備えられた発光手段によりコンタクトガラスを介して光が画像形成装置外部に向けて照射されるので、光を透過する原稿をコンタクトガラスに載置する場合には、液晶シャッター手段により表示された印刷可能領域をユーザが原稿を透して見ることができ、原稿を印刷可能領域に重ね合わせた状態で印刷可能領域を認識できるので、印刷を行いたい原稿の部分を容易に印刷可能領域内に載置することができる。
【発明を実施するための最良の形態】
【００１５】
以下、本発明の一実施形態による画像形成装置としての複写機について図面を参照しながら説明する。
【００１６】
図１は、複写機１の本発明に係る構成の概要を示す図で、（ａ）は斜視図、（ｂ）は側面断面図である。図１は複写機１の筐体と、複写機１に備えられるコンタクトガラス２、液晶パネル３、及び発光部４を示す。コンタクトガラス２は例えば長方形のガラス板で複写機の上面に略水平に備えられる。液晶パネル３は例えばコンタクトガラス２と略同じ大きさを有する板状物で、コンタクトガラス２の下方に重ねられて複写機１に備えられる。発光部４は複写機１内部に備えられ、コンタクトガラス２を複写機１内部から外部に向けて照射する。
【００１７】
図２は、複写機１の主な機能の構成を示すブロック図である。複写機１は操作パネル部１１、原稿読取部１２、画像データ記憶部１３、印刷部１４、液晶部３及び制御部１６を備える。操作パネル部１１は記録紙サイズ設定部１１１、倍率設定部１１２、印刷可能領域位置移動指示部１１３及び複写開始指示部１１４を備える。制御部１６は印刷可能サイズ算出部１６１、印刷可能領域算出部１６２、液晶表示制御部１６３、画像拡大縮小部１６４、複写制御部１６５を備える。
【００１８】
操作パネル部１１は、図３に示す外観を有するもので、ユーザによる複写機に対する指示の入力、及び複写機からユーザに対するメッセージ等の表示を行うためのものである。操作パネル部１１表面には、ディスプレイ１１０、用紙サイズ設定キー１１１１、複写倍率設定キー１１２１、印刷可能領域位置移動キー１１３１及びスタートキー１１４１が設けられている。
【００１９】
記録紙サイズ設定部１１１（図２）は、ユーザが入力する記録紙のサイズを受け付け、印刷可能サイズ算出部１６１に記録紙サイズを送信する。ユーザは操作パネル部１１の用紙サイズ設定キー１１１１（図３）を押下することにより用紙サイズ設定を開始し、ディスプレイ１１０の表示に従って用紙サイズ（例えばＢ４サイズ）を設定する。記録紙サイズ設定部１１１は、複写機１の立ち上げ時の初期値として記録紙サイズにＡ４を保持する。
【００２０】
倍率設定部１１２は、ユーザが入力する複写倍率を受け付け、印刷可能サイズ算出部１６１に複写倍率を送信する。ユーザは操作パネル部１１の複写倍率設定キー１１２１（図３）を押下することにより複写倍率設定を開始し、ディスプレイ１１０の表示に従って複写倍率（例えば８０％）を設定する。倍率設定部１１２は、複写機の立ち上げ時の初期値として複写倍率に１００％を保持する。
【００２１】
印刷可能領域位置移動指示部１１３は、ユーザが入力する印刷可能領域６（図４参照、詳細は後述）の位置の移動指示を受け付け、印刷可能領域算出部１６２に移動指示を送信する。具体的には、操作パネル部１１の印刷可能領域位置移動キー１１３１の上下左右キーの押下（移動指示）を受け付け、押下されたキーの種類（上下左右）を印刷可能領域算出部１６２に送信する。ユーザは操作パネル部１１の印刷可能領域位置移動キー１１３１の上下左右キーを押下することにより印刷可能領域６の位置を移動させる。ユーザは後述する液晶部３の表示を見ることにより印刷可能領域６の位置を確認できる（図４参照）。
【００２２】
複写開始指示部１１４は、複写開始指示として、ユーザによるスタートキー１１４１の押下を受け付け、複写制御部１６５に複写開始指示を送信する。
【００２３】
ここで、図４を使用して原稿載置基準位置５（図４参照）について説明する。図４はコンタクトガラス２及び液晶パネル３を上面から見た図で、領域６は印刷可能領域で液晶シャッターが光を透過する状態（透光状態）にある。領域７は印刷可能領域外の領域で液晶シャッターが光を遮断する状態（遮光状態）にある。これによりユーザが印刷可能領域を知ることができる。図４（ａ）は印刷可能領域６がデフォルト位置（コンタクトガラスの中心）にある場合で、図４（ｂ）は印刷可能領域６を移動させた後の状態である。
【００２４】
原稿載置基準位置５とは、コンタクトガラス２に原稿を載置する際の基準位置で、原稿載置基準位置５を基準としてコンタクトガラス２上の、記録紙に印刷される領域が決定される。通常の複写機における原稿載置基準位置は、コンタクトガラスの−ｘ方向の端で−ｚ方向の端の位置（コンタクトガラスの一角；ユーザから見て左上角）、又は−ｘ方向の端でｚ方向の真中の位置（コンタクトガラスの一辺の真中；ユーザから見て左辺真中）であるが、本発明に係る複写機（画像形成装置）では、原稿載置基準位置５はデフォルト（初期位置）で印刷可能領域６がコンタクトガラス２の中心に来る位置であって、原稿載置基準位置５（ひいては印刷可能領域６）はユーザの指示により移動可能である。本発明に係る複写機（画像形成装置）では、原稿載置基準位置５を０ポジションとして＋ｘ及び＋ｚ方向の領域を印刷対象領域（コンタクトガラス上で印刷され得る領域）とする。通常の複写機においては、印刷対象領域はコンタクトガラス全域である。
【００２５】
図２に戻って、原稿読取部１２は、コンタクトガラスに載置された原稿から画像を（より正確には原稿が載置されている／いないに拘わらずコンタクトガラス全体を）読み取り、画像データ記憶部１３に格納するもので、複写制御部１６５により作動される。この際、原稿読取部１２は、印刷可能領域算出部１６２から原稿載置基準位置５を取得し、上述の印刷対象領域の画像データを画像データ記憶部１３に格納する。
【００２６】
画像データ記憶部１３は原稿読取部１２により読み取られた画像の（印刷対象領域の）画像データを記憶するものである。印刷部１４は記録紙サイズ設定部１１１から記録紙サイズを取得し、画像データ記憶部１３に記憶される画像データを、取得したサイズの記録紙に印刷するものである。印刷部１４は複写制御部１６５により作動される。液晶部３はコンタクトガラスに重ねられて備えられる液晶パネル３である。液晶パネルは例えば１／３ｍｍ×１／３ｍｍのドットサイズを有する液晶シャッターを縦横に配置したものである。
【００２７】
制御部１６は、ＣＰＵ（中央処理装置）、ＲＡＭ（ランダムアクセスメモリ）及びＲＯＭ（リードオンリーメモリ）等からなるもので、ＲＯＭに格納される制御プログラムに従い動作を行う。印刷可能サイズ算出部１６１は、記録紙サイズ設定部１１１から記録紙サイズ、又は倍率設定部１１２から複写倍率を受信したことを契機に、記録紙サイズ及び複写倍率を基に印刷可能な原稿のサイズを算出する。受信した記録紙サイズ又は複写倍率は次回新たなものを受信するまで保持する。印刷可能稿サイズの具体的な算出方法としては、印刷可能サイズ算出部１６１は記録紙サイズを複写倍率で割って印刷可能サイズを算出する。例えば記録紙サイズとしてＡ４サイズ（２９７ｍｍ×２１０ｍｍ）が指定されている場合で複写倍率が９０％に縮小の場合、Ａ４サイズを０．９（９０％）でわったサイズ（３３０ｍｍ×２３３ｍｍ）が印刷可能サイズとなる。印刷可能サイズ算出部１６１は、複写機１の立ち上げ時には初期処理として、記録紙サイズ設定部１１１から記録紙サイズを、倍率設定部１１２から複写倍率を取得して印刷可能サイズを算出する処理を行う。
【００２８】
印刷可能領域算出部１６２は、印刷可能サイズ算出部１６１から印刷可能サイズを受信したこと、又は印刷可能領域位置移動指示部１１３から印刷可能領域の位置の移動指示を受信したことを契機に、複写を行った場合に記録紙に画像を複写することができる、コンタクトガラス上の領域（印刷可能領域）を求める。この領域は印刷可能サイズと同サイズである。印刷可能領域の左上角の位置を原稿載置基準位置５とする。印刷可能領域算出部１６２は、印刷可能領域６を原稿載置基準位置５を基準に印刷可能サイズ分の領域として決定される。デフォルトの原稿載置基準位置５は印刷可能領域６の中心が原稿載置領域（コンタクトガラスの全面に相当）の中心と一致するときの印刷可能領域の左上角の位置として、印刷可能領域算出部１６２が決定する。
【００２９】
液晶表示制御部１６３は、印刷可能領域の情報を印刷可能領域算出部１６２から受信し、液晶部３における印刷可能領域内６に位置する液晶シャッターを透光状態にし、印刷可能領域外７に位置する液晶シャッターを遮光状態にするよう制御する。
【００３０】
複写制御部１６５は、複写開始指示部１１４から複写開始指示を受信した場合に、複写を行う制御をする。複写制御部１６５は複写開始指示を受信したら、まず、原稿読取部１２に原稿から画像を読み取る指示を送信する。次に複写制御部１６５は画像拡大縮小部１６４に画像データ記憶部に格納された画像を（必要ならば）拡大又は縮小を行う指示を送信する。次に複写制御部１６５は印刷部１４に印刷指示を送信する。
【００３１】
画像拡大縮小部１６４は、複写制御部１６５から指示を受けた場合に、倍率設定部１１２から複写倍率を取得し、複写倍率が等倍（１００％）でない場合に、画像データ記憶部１３に格納されている画像データの画像を複写倍率に従い拡大又は縮小して再度画像データ記憶部１３に格納する。
【００３２】
図５は、本発明に係る複写機１の処理の流れを示すフローチャートである。以下に複写機１の処理を図５のフローチャートに従い説明する。ステップＳ１では、複写機１の立ち上げ時の初期設定として、印刷可能サイズ算出部１６１は記録紙サイズ設定部１１１から記録紙サイズを取得する。ステップＳ３では、複写機１の立ち上げ時の初期設定として、印刷可能サイズ算出部１６１は倍率設定部１１２から複写倍率を取得する。
【００３３】
ステップＳ５では、印刷可能サイズ算出部１６１は（取得又は受信した）記録紙サイズ及び複写倍率から印刷可能サイズを算出し、印刷可能サイズを印刷可能領域算出部１６２に送信する。ステップＳ７では、印刷可能領域算出部１６２は原稿載置基準位置５を基に印刷可能領域６を算出し、液晶表示制御部１６３に送信する。ステップＳ９では、液晶表示制御部１６３は、開状態にする液晶シャッターと閉状態にする液晶シャッターの液晶シャッタードット位置を算出する。ステップＳ１１では、液晶表示制御部１６３はステップＳ９の算出に従い液晶部３の各液晶シャッターのドットを開閉する。
【００３４】
ステップＳ１３では、印刷可能領域位置移動指示部１１３は、印刷可能領域位置移動指示として上下左右キー１１３１のいずれかの押下を受け付けたか否かをチェックし、受け付けた場合には（ステップＳ１３でＹＥＳ）、原稿載置基準位置５を、右キーを受け付けた場合にはｘ方向（図１参照）に＋１、左キーを受け付けた場合にはｘ方向に−１、上キーを受け付けた場合にはｚ方向に＋１、下キーを受け付けた場合にはｚ方向に−１加えてステップＳ７へ戻る。ここで、座標値は液晶のドットに対応する。上下左右キー１１３１のいずれかの押下を受け付けなかった場合には（ステップＳ１３でＮＯ）、ステップＳ１５へ進む。
【００３５】
ステップＳ１５では、複写開始指示部１１４は、スタートキー１１４１の押下を受け付けたか否かをチェックし、受け付けた場合には（ステップＳ１５でＹＥＳ）、ステップＳ１７へ進む。ステップＳ１７では、複写制御部１６５は原稿読取部１２に原稿から画像を読み取るよう指示する。原稿読取部１２は印刷可能領域算出部１６２から原稿載置基準位置５を取得し、原稿読取部１２は原稿から画像を読み取って、印刷対象領域の画像のデータを画像データとして画像データ記憶部１３に格納する。ステップＳ１９では、複写制御部１６５は画像拡大縮小部１６４に画像を拡大又は縮小するよう指示し、画像拡大縮小部１６４は複写倍率に従い必要があれば（複写倍率が等倍でなければ）画像データ記憶部１３に格納されている画像データの画像を拡大又は縮小する処理を行い、拡大又は縮小後の画像データを画像データ記憶部１３に格納する。
【００３６】
ステップＳ２１では、複写制御部１６５は印刷部１４に画像を印刷するよう指示し、印刷部１４は画像データ記憶部に格納されている画像データを記録紙サイズに設定されているサイズの記録紙に印刷する。ステップＳ１５の分岐において、スタートキー１１４１の押下を受け付けなかった場合には（ステップＳ１５でＮＯ）、ステップＳ２３へ進む。
【００３７】
ステップＳ２３では、記録紙サイズ設定部１１１は記録紙サイズの設定を受け付けたか否かをチェックし、受け付けた場合には（ステップＳ２３でＹＥＳ）ステップＳ２５へ進む。ステップＳ２５では、記録紙サイズ設定部１１１は設定された記録紙サイズを印刷可能サイズ算出部１６１に送信し、印刷可能サイズ算出部１６１は保持している記録紙サイズを受信した記録紙サイズに変更する。ステップＳ２３の分岐において記録紙サイズの設定を受け付けなかった場合（ステップＳ２３でＮＯ）及びステップＳ２５の処理を終了した場合には、ステップＳ２７へ進む。
【００３８】
ステップＳ２７では、倍率設定部１１２は複写倍率の設定を受け付けたか否かをチェックし、受け付けた場合には（ステップＳ２７でＹＥＳ）ステップＳ２９へ進む。ステップＳ２９では、倍率設定部１１２は設定された複写倍率を印刷可能サイズ算出部１６１に送信し、印刷可能サイズ算出部１６１は保持する複写倍率を受信した複写倍率に変更する。ステップＳ２７の分岐において複写倍率の設定を受け付けなかった場合（ステップＳ２７でＮＯ）及びステップＳ２９の処理を終了した場合には、ステップＳ５へ戻りＳ５からの処理を繰り返す。
【００３９】
このように本実施形態によれば、複写機１において液晶パネル３がコンタクトガラス２に重ねられて備えられ、記録紙サイズと複写倍率からコンタクトガラス２上における印刷可能領域が液晶パネル３により表示される。このとき、印刷可能領域内部の液晶シャッターを透光状態にし、印刷可能領域外部の液晶シャッターを遮光状態にするように印刷可能領域を表示する。また、この印刷可能領域の位置は、ユーザが操作パネル部１１を使用して移動させることができる。従って、画像を拡大／縮小して出力する場合のコンタクトガラス上における印刷可能な領域をユーザが容易に認識できると共に、原稿を載置しやすい位置に印刷可能領域を位置付けることができ、容易に原稿の載置が行える複写機を提供することができる。また、複写機１内部に発光部を設け、複写機内部からコンタクトガラス（及び液晶パネル）をとおして原稿を照射するようにしたので、原稿を印刷可能領域に重ね合わせた状態で印刷可能領域を認識でき、印刷を行いたい原稿の部分を容易に印刷可能領域内に載置することができる。
【００４０】
なお、本発明は、上記実施形態のものに限定されるものではなく、以下に述べる態様を採用することができる。本実施形態においては、画像読取装置として複写機を例に取り説明したが、これは原稿載置ガラスに載置された原稿の画像を読み取り、読み取った画像を拡大又は縮小して出力する機能を処理を有する装置であれば、例えばファクシミリ装置等であってもよい。
【００４１】
また、本実施形態においては、液晶シャッターの印刷可能領域内部全域を透光状態とすると共に、印刷可能領域外部全域を遮光状態にしたが、これは、印刷可能範囲が認識でき、かつ印刷可能領域内全域が透光状態にあれば、必ずしもこのようにする必要はない。例えば、印刷可能領域の枠のみを線で表示（印刷可能領域の外周に隣接する、印刷可能範囲外に属する線領域の液晶シャッターのみを遮光状態にする）するようにしてもよいし、印刷可能領域の４つの頂点のみを点で表示（印刷可能領域の４つの頂点に隣接する、印刷可能範囲外に属する点領域の液晶シャッターのみを遮光状態にする）するようにしてもよい。
【００４２】
発光部の形は特に重要ではなく、コンタクトガラスの略全域を照射可能なものであればよい。また、発光部の発光をオン／オフするスイッチを画像形成装置に設け、電力消費を抑えるために、ユーザが発光のオン／オフを切り替えるようにして、必要なときのみ発光するようにしてもよい。
【図面の簡単な説明】
【００４３】
【図１】本発明の一実施形態による画像形成装置としての複写機の外観を示す図で、（ａ）は斜視図、（ｂ）は側面断面図である。
【図２】本発明の一実施形態による複写機の機能の構成を示すブロック図である。
【図３】本発明の一実施形態による複写機の操作パネル部の外観を示す上面図である。
【図４】本発明の一実施形態による複写機において印刷可能領域を示すコンタクトガラス及び液晶パネルの上面図で、（ａ）は印刷可能領域がデフォルト位置にある場合で、（ｂ）は印刷可能領域を移動させた後の場合である。
【図５】本発明の一実施形態による複写機における処理の流れを示すフローチャートである。
【符号の説明】
【００４４】
１  複写機（画像形成装置）
２  コンタクトガラス
３  液晶パネル、液晶部（液晶シャッター手段）
４  発光部（発光手段）
１１１  記録紙サイズ設定部（サイズ決定手段）
１１２  倍率設定部（倍率決定手段）
１１３  印刷可能領域位置移動指示部（位置指定手段）
１２  原稿読取部（読取手段）
１４  印刷部（出力手段）
１６２  印刷可能領域算出部（領域算出手段）
１６３  液晶表示制御部（液晶制御手段）
１６４  画像拡大縮小部（拡大縮小手段）
【図１】
2005244755.tif 000003
【図２】
2005244755.tif 000004
【図３】
2005244755.tif 000005
【図４】
2005244755.tif 000006
【図５】
2005244755.tif 000007